【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
ビデオまたはオーディオ信号を含むファイルを作成するファイル作成手段と、
前記ファイル作成手段により作成された各ファイル毎に、そのファイルに含まれる前記ビデオまたはオーディオ信号の特徴点情報を作成する特徴点情報作成手段と、
前記ファイルと特徴点情報とを記録媒体に記録する記録手段と
を備えることを特徴とする記録装置。
【請求項２】
前記特徴点情報は、頭出し情報、ポインタ情報、slot_info()、または、video_attributeである
ことを特徴とする請求項１に記載の記録装置。
【請求項３】
前記video_attributeには、aspect_ratioを含む
ことを特徴とする請求項２に記載の記録装置。
【請求項４】
前記記録手段は、前記特徴点情報を、前記記録媒体にまとめて記録する
ことを特徴とする請求項１に記載の記録装置。
【請求項５】
ビデオまたはオーディオ信号を含むファイルを作成するファイル作成ステップと、
前記ファイル作成ステップで作成された各ファイル毎に、そのファイルに含まれる前記ビデオまたはオーディオ信号の特徴点情報を作成する特徴点情報作成ステップと、
前記ファイルと特徴点情報とを記録媒体に記録する記録ステップと
を含むことを特徴とする記録方法。
【請求項６】
ビデオまたはオーディオ信号を含むファイルを作成するファイル作成ステップと、
前記ファイル作成ステップで作成された各ファイル毎に、そのファイルに含まれる前記ビデオまたはオーディオ信号の特徴点情報を作成する特徴点情報作成ステップと、
前記ファイルと特徴点情報とを記録媒体に記録する記録ステップと
を含む処理を情報処理装置に実行させるコンピュータが読みとり可能なプログラムを提供することを特徴とする提供媒体。
【請求項７】
記録媒体に記録されているビデオまたはオーディオ信号を含むファイルを再生するファイル再生手段と、
前記ファイル再生手段により再生された各ファイル毎に、前記記録媒体に記録されているそのファイルに含まれる前記ビデオまたはオーディオ信号の特徴点情報を再生する特徴点情報再生手段と、
前記特徴点情報再生手段により再生された前記特徴点情報に基づいて、前記ファイルの再生を制御する再生制御手段と
を備えることを特徴とする再生装置。
【請求項８】
記録媒体に記録されているビデオまたはオーディオ信号を含むファイルを再生するファイル再生ステップと、
前記ファイル再生ステップで再生された各ファイル毎に、前記記録媒体に記録されているそのファイルに含まれる前記ビデオまたはオーディオ信号の特徴点情報を再生する特徴点情報再生ステップと、
前記特徴点情報再生ステップで再生された前記特徴点情報に基づいて、前記ファイルの再生を制御する再生制御ステップと
を含むことを特徴とする再生方法。
【請求項９】
記録媒体に記録されているビデオまたはオーディオ信号を含むファイルを再生するファイル再生ステップと、
前記ファイル再生ステップで再生された各ファイル毎に、前記記録媒体に記録されているそのファイルに含まれる前記ビデオまたはオーディオ信号の特徴点情報を再生する特徴点情報再生ステップと、
前記特徴点情報再生ステップで再生された前記特徴点情報に基づいて、前記ファイルの再生を制御する再生制御ステップと
を含む処理を情報処理装置に実行させるコンピュータが読みとり可能なプログラムを提供することを特徴とする提供媒体。
【請求項１０】
少なくともビデオ信号が含まれた入力信号が入力される入力手段と、
前記入力信号に含まれる信号に基づき、前記ビデオ信号の特徴点情報を検出する特徴点情報検出手段と、
前記入力信号に含まれる信号のうち少なくともビデオ信号を記録媒体に記録するビデオ信号記録手段と、
前記特徴点情報を記録媒体に書き込む特徴点情報書込手段と
を備えることを特徴とする記録装置。
【請求項１１】
少なくともビデオ信号が含まれた入力信号を入力する入力ステップと、
前記入力信号に含まれる信号に基づき、前記ビデオ信号の特徴点情報を検出する特徴点情報検出ステップと、
前記入力信号に含まれる信号のうち少なくともビデオ信号を記録媒体に記録するビデオ信号記録ステップと、
前記特徴点情報を記録媒体に書き込む特徴点情報書込ステップと
を含むことを特徴とする記録方法。
【請求項１２】
少なくともビデオ信号が含まれた入力信号を入力する入力ステップと、
前記入力信号に含まれる信号に基づき、前記ビデオ信号の特徴点情報を検出する特徴点情報検出ステップと、
前記入力信号に含まれる信号のうち少なくともビデオ信号を記録媒体に記録するビデオ信号記録ステップと、
前記特徴点情報を記録媒体に書き込む特徴点情報書込ステップと
を含む処理を情報処理装置に実行させるコンピュータが読みとり可能なプログラムを提供することを特徴とする提供媒体。
【請求項１３】
ビデオまたはオーディオ信号を含むファイルを作成するファイル作成手段と、
前記ファイル作成手段により作成された各ファイル毎に、そのファイルに含まれる前記ビデオまたはオーディオ信号の特徴点情報を作成する特徴点情報作成手段と、
前記ファイルと特徴点情報とを記録媒体に記録する記録手段と、
前記記録媒体に記録されているビデオまたはオーディオ信号を含むファイルを再生するファイル再生手段と、
前記ファイル再生手段により再生された各ファイル毎に、前記記録媒体に記録されているそのファイルに含まれる前記ビデオまたはオーディオ信号の特徴点情報を再生する特徴点情報再生手段と、
前記特徴点情報再生手段により再生された前記特徴点情報に基づいて、前記ファイルの再生を制御する再生制御手段と
を備えることを特徴とする記録再生装置。
【請求項１４】
ビデオまたはオーディオ信号を含むファイルを作成するファイル作成ステップと、
前記ファイル作成ステップで作成された各ファイル毎に、そのファイルに含まれる前記ビデオまたはオーディオ信号の特徴点情報を作成する特徴点情報作成ステップと、
前記ファイルと特徴点情報とを記録媒体に記録する記録ステップと、
前記記録媒体に記録されているビデオまたはオーディオ信号を含むファイルを再生するファイル再生ステップと、
前記ファイル再生ステップで再生された各ファイル毎に、前記記録媒体に記録されているそのファイルに含まれる前記ビデオまたはオーディオ信号の特徴点情報を再生する特徴点情報再生ステップと、
前記特徴点情報再生ステップで再生された前記特徴点情報に基づいて、前記ファイルの再生を制御する再生制御ステップと
を含むことを特徴とする記録再生方法。
【請求項１５】
ビデオまたはオーディオ信号を含むファイルを作成するファイル作成ステップと、
前記ファイル作成ステップで作成された各ファイル毎に、そのファイルに含まれる前記ビデオまたはオーディオ信号の特徴点情報を作成する特徴点情報作成ステップと、
前記ファイルと特徴点情報とを記録媒体に記録する記録ステップと、
前記記録媒体に記録されているビデオまたはオーディオ信号を含むファイルを再生するファイル再生ステップと、
前記ファイル再生ステップで再生された各ファイル毎に、前記記録媒体に記録されているそのファイルに含まれる前記ビデオまたはオーディオ信号の特徴点情報を再生する特徴点情報再生ステップと、
前記特徴点情報再生ステップで再生された前記特徴点情報に基づいて、前記ファイルの再生を制御する再生制御ステップと
を含む処理を情報処理装置に実行させるコンピュータが読みとり可能なプログラムを提供することを特徴とする提供媒体。
【請求項１６】
データが記録されている記録媒体であって、
ビデオまたはオーディオ信号を含むファイルと、前記ファイル毎の前記ビデオまたはオーディオ信号の特徴点情報とが記録されている
ことを特徴とする記録媒体。
【請求項１７】
前記特徴点情報は、Ｉピクチャを指し示す情報である
ことを特徴とする請求項１６に記載の記録媒体。
【請求項１８】
前記特徴点情報は、頭出し情報、ポインタ情報、slot_info()、または、video_attributeである
ことを特徴とする請求項１６に記載の記録媒体。
【請求項１９】
前記特徴点情報は、所定の単位毎にまとめて記録されている
ことを特徴とする請求項１６に記載の記録媒体。
【手続補正２】
【補正対象書類名】明細書
【補正対象項目名】００２１
【補正方法】変更
【補正の内容】
【００２１】
請求項１５に記載の提供媒体は、ビデオまたはオーディオ信号を含むファイルを作成するファイル作成ステップと、ファイル作成ステップで作成された各ファイル毎に、そのファイルに含まれるビデオまたはオーディオ信号の特徴点情報を作成する特徴点情報作成ステップと、ファイルと特徴点情報とを記録媒体に記録する記録ステップと、記録媒体に記録されているビデオまたはオーディオ信号を含むファイルを再生するファイル再生ステップと、ファイル再生ステップで再生された各ファイル毎に、記録媒体に記録されているそのファイルに含まれるビデオまたはオーディオ信号の特徴点情報を再生する特徴点情報再生ステップと、特徴点情報再生ステップで再生された特徴点情報に基づいて、ファイルの再生を制御する再生制御ステップとを含む処理を情報処理装置に実行させるコンピュータが読みとり可能なプログラムを提供することを特徴とする。
請求項１６に記載の記録媒体は、ビデオまたはオーディオ信号を含むファイルと、ファイル毎のビデオまたはオーディオ信号の特徴点情報とが記録されていることを特徴とする。
【手続補正３】
【補正対象書類名】明細書
【補正対象項目名】００２５
【補正方法】変更
【補正の内容】
【００２５】
請求項１３に記載の記録再生装置、請求項１４に記載の記録再生方法、および請求項１５に記載の提供媒体においては、ファイルと、そのファイル毎の特徴点情報とが記録媒体に記録される。そして、再生された特徴点情報に対応して、ファイルの再生が制御される。
請求項１６に記載の記録媒体においては、ビデオまたはオーディオ信号を含むファイルと、ファイル毎のビデオまたはオーディオ信号の特徴点情報とが記録されている。
【手続補正４】
【補正対象書類名】明細書
【補正対象項目名】０２１５
【補正方法】変更
【補正の内容】
【０２１５】
【発明の効果】
請求項１３に記載の記録再生装置、請求項１４に記載の記録再生方法、および請求項１５に記載の提供媒体によれば、ファイルと、そのファイル毎の特徴点情報とを記録媒体に記録し、そこから再生された特徴点情報に対応して、ファイルの再生を制御するようにしたので、ファイルの管理が容易なシステムを実現することが可能となる。
請求項１６に記載の記録媒体によれば、ビデオまたはオーディオ信号を含むファイルと、ファイル毎のビデオまたはオーディオ信号の特徴点情報とが記録されているようにしたので、記録された信号に対してランダムアクセスをすることができる。